(57)【要約】【課題】電子写真方式の画像形成装置において、定着ジャムを防止すること。【解決手段】設置場所の環境条件を検知する環境条件検知手段と、前記環境条件検知手段からの検知信号に応じて、（１）印刷媒体の搬送方向先端部からの画像が形成されない領域の量を示す余白量を設定する余白量設定手段、（２）印刷媒体の搬送方向先端部方向に位置するページ単位のビットマップ・データの所定範囲のピクセルを、実質的に画像が形成されないデータで置換して、実質的に余白量を拡大する余白部分拡大手段、（３）ページ単位のビットマップ・データを表す画像を印刷媒体に印字する際に用いる単位面積あたりのトナー量の最大値を変更するように、前記ビットマップ・データを処理するビットマップ・データ処理部の動作を変更する処理変更手段、のいずれかを備え、定着ローラからの用紙の剥離性を向上させる。【選択図】　　　　図５
2004078025.tif 000002
【特許請求の範囲】
【請求項１】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、
画像形成装置が設置されている場所の環境条件を検知する環境条件検知手段と、
前記環境条件検知手段からの検知信号に応じて、前記印刷媒体の搬送方向先端部からの画像が形成されない領域の量を示す余白量を設定する余白量設定手段と、
を備えることを特徴とする画像形成装置。
【請求項２】
前記環境条件検知手段は、温度を検知して温度を指示するデータを出力することを特徴とする請求項１に記載の画像形成装置。
【請求項３】
前記環境条件検知手段は、湿度を検知して湿度を指示するデータを出力することを特徴とする請求項１に記載の画像形成装置。
【請求項４】
前記余白量設定手段は、印刷媒体に印字される１ページ単位のビットマップ・データの位置を変更することを特徴とする請求項１に記載の画像形成装置。
【請求項５】
前記余白量設定手段は、印刷媒体の用紙サイズの切り替えを行い、印刷媒体のサイズを変更することを特徴とする請求項１に記載の画像形成装置。
【請求項６】
前記余白量設定手段は、ページ単位のビットマップ・データが表す画像の大きさを縮小することにより、印刷媒体に印字されるページ単位のビットマップ・データの全体サイズを変更することを特徴とする請求項１に記載の画像形成装置。
【請求項７】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、
画像形成装置が設置されている場所の環境条件を検知する環境条件検知手段と、
前記環境条件検知手段からの検知信号に応じて、前記印刷媒体の搬送方向先端部方向に位置するページ単位のビットマップ・データの所定範囲のピクセルを、実質的に画像が形成されないデータで置換して、実質的に余白量を拡大する余白部分拡大手段と
を備えることを特徴とする画像形成装置。
【請求項８】
前記余白量設定手段は、ページ単位のビットマップ・データの端部を切り詰めて、印刷媒体に印字されるページ単位のビットマップ・データの位置を実質的に変更することを特徴とする請求項１に記載の画像形成装置。
【請求項９】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、
画像形成装置が設置されている場所の環境条件を検知する環境条件検知手段と、
前記環境条件検知手段からの検知信号に応じて、ページ単位のビットマップ・データを表す画像を印刷媒体に印字する際に用いる単位面積あたりのトナー量の最大値を変更するように、前記ビットマップ・データを処理するビットマップ・データ処理部の動作を変更する処理変更手段と
を備えることを特徴とする画像形成装置。
【請求項１０】
前記処理変更手段は、ビットマップ・データの色変換を行う際の変換パラメータを変更する色変換パラメータ変更手段であることを特徴とする請求項９に記載の画像形成装置。
【請求項１１】
前記色変換パラメータ変更手段は、入力データのＲＧＢ値をＹＭＣＫに変換する際のＵｎｄｅｒ　Ｃｏｌｏｒ　Ｒｅｍｏｖａｌ量を変更することを特徴とする請求項１０に記載の画像形成装置。
【請求項１２】
前記色変換パラメータ変更手段は、入力データから生成したＹＭＣＫ値を別のＹＭＣＫ値に変換する際に、各色毎にそれぞれ１つの１次元ＬＵＴを持ち、そのＬＵＴの内容を変更することを特徴とする請求項１０に記載の画像形成装置。
【請求項１３】
前記色変換パラメータ変更手段は、入力データのＲＧＢ値をＹＭＣＫに変換する際の三次元ＬＵＴを変更することを特徴とする請求項１０に記載の画像形成装置。
【請求項１４】
前記色変換パラメータ変更手段は、入力データから生成したＹＭＣＫ値を別のＹＭＣＫ値に変換する際に、Ｕｎｄｅｒ　Ｃｏｌｏｒ　Ｒｅｍｏｖａｌ量を変更し、なお、単位面積あたりのトナー量を示すデータの合計が所定値を超えている場合には、ＣＭＹの各ピクセル値を一定比率で乗算することでＣＭＹ値を変更することを特徴とする請求項１０に記載の画像形成装置。
【請求項１５】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、
画像形成装置が設置されている場所の環境条件を検知し、
前記検知した環境情報に応じて、前記印刷媒体の搬送方向先端部からの画像が形成されない領域の量を示す余白量を設定する
ことを特徴とする画像形成装置のデータ処理方法。
【請求項１６】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、
画像形成装置が設置されている場所の環境条件を検知し、
前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大する
ことを特徴とする画像形成装置のデータ処理方法。
【請求項１７】
入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、
画像形成装置が設置されている場所の環境条件を検知し、
前記検知した環境情報に応じて、ページ単位のビットマップ・データを表す画像を印刷媒体に印字する際に用いる単位面積あたりのトナー量の最大値を変更するように、ビットマップ・データを処理する
ことを特徴とする画像形成装置のデータ処理方法。
【請求項１８】
入力データからビットマップ・データを生成する手段と、生成したビットマップ・データに基づいて露光し、現像し、転写し、定着する手段と、
画像形成装置が設置されている場所の環境条件を検知して環境情報を出力する手段と、
前記検知した環境情報に応じて、前記印刷媒体の搬送方向先端部からの画像が形成されない領域の量を示す余白量を設定する手段と
を実現させるためのプログラムを記録したコンピュータ読み取り可能な記憶媒体。
【請求項１９】
入力データからビットマップ・データを生成する手段と、生成したビットマップ・データに基づいて露光し、現像し、転写し、定着する手段と、
画像形成装置が設置されている場所の環境条件を検知し環境情報を出力する手段と、
前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大する手段と
を実現させるためのプログラムを記録したコンピュータ読み取り可能な記憶媒体。
【請求項２０】
入力データからビットマップ・データを生成する手段と、生成したビットマップ・データに基づいて露光し、現像し、転写し、定着する手段と、
画像形成装置が設置されている場所の環境条件を検知し環境情報を出力する手段と、
前記検知した環境情報に応じて、ページ単位のビットマップ・データを表す画像を印刷媒体に印字する際に用いる単位面積あたりのトナー量の最大値を変更するように、ビットマップ・データを処理する手段と
を実現させるためのプログラムを記録したコンピュータ読み取り可能な記憶媒体。
【発明の詳細な説明】
【０００１】
【発明の属する技術分野】
本発明は、電子写真方式の画像形成装置およびそのデータ処理方法に関し、より詳細には、入力データからビットマップ・データを生成し、生成されたビットマップ・データを印刷媒体に印刷する画像形成装置で、特に画像形成装置が設置されている場所の環境条件を検知して、検知した環境情報に基づいて画像形成の処理形態を決定する画像形成置およびそのデータ処理方法に関する。
【０００２】
【従来の技術】
従来の、入力データからビットマップ・データを生成して、生成したビットマップ・データを印刷媒体に印刷する画像形成装置において、設置されている場所の環境情報等を検知する機能を有する画像形成装置は、環境変動により、処理内容、あるいは動作内容を変更することが実行されている。このような画像形成装置の例の１つを以下に説明する。
【０００３】
前述したような画像形成装置は、環境情報を検知する手段として温度計、湿度計を備え、温度または湿度がある一定の値を超えるか否かを検知する。または、温度または湿度の変化量がある一定の値を超えるか否かを検知する。次に、画像形成装置は、予め装置内に格納されているビットマップ・データ（ＹＭＣＫ各色８ビット・データ）を印刷する。このビットマップ・データは、トナーの付着面積率が０％から１００％までの例えば８段階で変化するそれぞれのパッチ（４×８＝３２）を有したパターンであり、予め決められた色間隔で複数の色パッチを形成するデータである。次に、印刷されたビットマップ・データを印刷制御装置に付随するスキャナで読み取りを行う。次に、読み取った各色の各濃度パッチから導き出した濃度特性と、理想的な濃度特性を比較し、入力データから生成したビットマップ・データのそれぞれの値が規定の出力濃度を示すように、言い替えれば理想的な濃度特性を示すように、ビットマップ・データから濃度データ変換（補正）するための変換テーブルを作成する。
【０００４】
図３は、具体的な画像補正の例を示す図である。図３（ａ）は、画像出力部に入力されるビット・マップの画像データ値を入力とし、画像出力部から出力され、スキャナで読み取られた濃度を出力とした場合の理想的な濃度特性（入出力特性）を示す図である。入力に対して出力はリニアに変化している。図３（ｂ）は、ある時間経過後の、画像出力部に入力されるビット・マップの画像データ値を入力とし、画像出力部から出力されスキャナで読み取られた濃度を出力とした場合の濃度特性を示す図である。入力に対して出力は非線形（ガンマ＝１．２）に変化している。このような結果になった場合には、画像補正値算出部では、入力に対して出力がリニアになるような補正ガンマ（ガンマ＝１／１．２）が算出される。図３（ｃ）は、算出した補正ガンマ・テーブルの入出力特性を示す図である。
【０００５】
次に、通常のビットマップ・データ（ＹＭＣＫ各色８ビット・データ）を印刷する際に、作成されたガンマ補正テーブルで、図３（ｃ）にその入出力特性を示すガンマ補正テーブルによってビットマップ・データを変換し、変換されたビットマップ・データを画像出力部に転送して画像出力を行う。
【０００６】
以上を実行することにより、環境条件が変っても、常に理想的な濃度特性によって、ビットマップ・データを印刷することが可能となっている。
【０００７】
【発明が解決しようとする課題】
しかしながら、上述したような電子写真方式の画像形成装置では、以下のような問題点があった。
【０００８】
高温高湿度環境においては、通常の温度湿度環境と比べて、用紙の「こし」、いわゆる曲げ剛性が低下するために、用紙の搬送経路中の、たとえば、転写体、転写ドラム、転写ベルト、あるいは定着機等と用紙媒体との付着性が強くなり、また付着した用紙をこれらから剥離する際に、用紙の「こし」の強さ、いわゆる、曲げ剛性に依存している部分もあるため、高温高湿度環境時には剥離不良による用紙ジャムを引き起こす確率が非常に高くなる傾向にある。特に、用紙に転写されたトナー画像を熱定着させる定着器において、定着後の記録媒体が定着ローラに巻き付いてしまう現象、いわゆる定着ジャムの発生が問題となる。
【０００９】
この定着ジャムの発生は、用紙上に転写されたトナーが定着直後に示す融着力に起因する。
【００１０】
通常の画像形成装置では、分離爪等により、定着器のローラと記録媒体を分離する構成を備えている。ただし、この分離爪と定着器のローラとの間隙をゼロにすることができず、ある程度の間隙を備えているのは通常である。しかし、この分離爪が有効に機能するには、少なくとも、定着器の加圧部分から抜け出した記録媒体の先端部分とローラ表面とがその間隙以上離れて、その間に分離爪が位置するようになることが条件となる。
【００１１】
通常の状態であれば、また通常の用紙であれば、トナーが定着直後に示す融着力、用紙の「こし」の強さ、そして定着器のトナーに接するローラの曲率、定着によって生じるカールの相互関係によって、定着器の加圧部分から抜け出した記録媒体の先端部分とローラ表面とが、分離爪近傍においてその間隙以上離れている。しかし、種々の環境条件によっては、望ましいふるまいから逸脱してしまうという問題が発生する。
【００１２】
なお、カールは、定着時のトナーの凝集力、記録材中の水分による紙の表裏の繊維質が定着によって異なる物理的変化をするために発生する。
【００１３】
また、定着後の用紙のカールは、画像形成装置が置かれている環境（特に温湿度）によっても左右される。このため、白黒画像よりは、多層トナーとなるカラー画像のほうがカールが発生し易い。また、用紙上でトナーの量が多い部分は凝縮力が大きいので、たとえば、黒部分が多い画像より白部分が多い画像の方が、同一条件ではカールは少ない。
【００１４】
本発明は、このような問題に鑑みてなされたもので、その目的とするところは、定着ジャムの発生が予測される環境条件において、画像形成装置の処理態様を操作することにより、上述した分離爪を有効に機能させるような振るまいをさせて、この定着ジャムの発生を防ぐことを可能とする画像形成装置、すなわち、定着ジャムの発生が予測される環境条件においてトナーが定着直後に示す融着力、あるいはトナーの凝縮力を減少させることにより、用紙が定着ローラに巻きつく力が、用紙の剛性による定着ローラからの剥離力よりも小さくなるようにして、定着ジャムの発生を防ぐことを可能とする画像形成装置およびそのデータ処理方法を提供することにある。
【００１５】
【課題を解決するための手段】
このような目的を達成するために、請求項１に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、画像形成装置が設置されている場所の環境条件を検知する環境条件検知手段と、前記環境条件検知手段からの検知信号に応じて、前記印刷媒体の搬送方向先端部からの画像が形成されない領域の量を示す余白量を設定する余白量設定手段と、を備えることを特徴とするものである。
【００１６】
また、請求項２に記載の発明は、請求項１に記載の画像形成装置であって、前記環境条件検知手段は、温度を検知して温度を指示するデータを出力することを特徴とするものである。
【００１７】
また、請求項３に記載の発明は、請求項１に記載の画像形成装置であって、前記環境条件検知手段は、湿度を検知して湿度を指示するデータを出力することを特徴とするものである。
【００１８】
また、請求項４に記載の発明は、請求項１に記載の画像形成装置であって、前記余白量設定手段は、印刷媒体に印字される１ページ単位のビットマップ・データの位置を変更することを特徴とするものである。
【００１９】
また、請求項５に記載の発明は、請求項１に記載の画像形成装置であって、前記余白量設定手段は、印刷媒体の用紙サイズの切り替えを行い、印刷媒体のサイズを変更することを特徴とするものである。
【００２０】
また、請求項６に記載の発明は、請求項１に記載の画像形成装置であって、前記余白量設定手段は、ページ単位のビットマップ・データが表す画像の大きさを縮小することにより、印刷媒体に印字されるページ単位のビットマップ・データの全体サイズを変更することを特徴とするものである。
【００２１】
また、請求項７に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、画像形成装置が設置されている場所の環境条件を検知する環境条件検知手段と、前記環境条件検知手段からの検知信号に応じて、前記印刷媒体の搬送方向先端部方向に位置するページ単位のビットマップ・データの所定範囲のピクセルを、実質的に画像が形成されないデータで置換して、実質的に余白量を拡大する余白部分拡大手段とを備えることを特徴とするものである。
【００２２】
また、請求項８に記載の発明は、請求項１に記載の画像形成装置であって、前記余白量設定手段は、ページ単位のビットマップ・データの端部を切り詰めて、印刷媒体に印字されるページ単位のビットマップ・データの位置を実質的に変更することを特徴とするものである。
【００２３】
また、請求項９に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置において、画像形成装置が設置されている場所の環境条件を検知する環境条件検知手段と、前記環境条件検知手段からの検知信号に応じて、ページ単位のビットマップ・データを表す画像を印刷媒体に印字する際に用いる単位面積あたりのトナー量の最大値を変更するように、前記ビットマップ・データを処理するビットマップ・データ処理部の動作を変更する処理変更手段とを備えることを特徴とするものである。
【００２４】
また、請求項１０に記載の発明は、請求項９に記載の画像形成装置であって、前記処理変更手段は、ビットマップ・データの色変換を行う際の変換パラメータを変更する色変換パラメータ変更手段であることを特徴とするものである。
【００２５】
また、請求項１１に記載の発明は、請求項１０に記載の画像形成装置であって、前記色変換パラメータ変更手段は、入力データのＲＧＢ値をＹＭＣＫに変換する際のＵｎｄｅｒ　Ｃｏｌｏｒ　Ｒｅｍｏｖａｌ量を変更することを特徴とするものである。
【００２６】
また、請求項１２に記載の発明は、請求項１０に記載の画像形成装置であって、前記色変換パラメータ変更手段は、入力データから生成したＹＭＣＫ値を別のＹＭＣＫ値に変換する際に、各色毎にそれぞれ１つの１次元ＬＵＴを持ち、そのＬＵＴの内容を変更することを特徴とするものである。
【００２７】
また、請求項１３に記載の発明は、請求項１０に記載の画像形成装置であって、前記色変換パラメータ変更手段は、入力データのＲＧＢ値をＹＭＣＫに変換する際の三次元ＬＵＴを変更することを特徴とするものである。
【００２８】
また、請求項１４に記載の発明は、請求項１０に記載の画像形成装置であって、前記色変換パラメータ変更手段は、入力データから生成したＹＭＣＫ値を別のＹＭＣＫ値に変換する際に、Ｕｎｄｅｒ　Ｃｏｌｏｒ　Ｒｅｍｏｖａｌ量を変更し、なお、単位面積あたりのトナー量を示すデータの合計が所定値を超えている場合には、ＣＭＹの各ピクセル値を一定比率で乗算することでＣＭＹ値を変更することを特徴とするものである。
【００２９】
また、請求項１６に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、画像形成装置が設置されている場所の環境条件を検知し、前記検知した環境情報に応じて、前記印刷媒体の搬送方向先端部からの画像が形成されない領域の量を示す余白量を設定することを特徴とする。
【００３０】
また、請求項１７に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、画像形成装置が設置されている場所の環境条件を検知し、前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大することを特徴とする。
【００３１】
また、請求項１８に記載の発明は、入力データからビットマップ・データを生成するビットマップ・データ生成部、生成したビットマップ・データに基づいて感光体上に露光する露光部、露光されて感光体上に生成された潜像を現像する現像部、現像されたトナー画像を印刷媒体に転写する転写部、印刷媒体に転写されたトナー画像を定着する定着部を備える画像形成装置のデータ処理方法において、画像形成装置が設置されている場所の環境条件を検知し、前記検知した環境情報に応じて、ページ単位のビットマップ・データを表す画像を印刷媒体に印字する際に用いる単位面積あたりのトナー量の最大値を変更するように、ビットマップ・データを処理することを特徴とする。
【００３２】
また、請求項１９に記載の発明は、コンピュータ読み取り可能な記憶媒体であって、入力データからビットマップ・データを生成する手段と、生成したビットマップ・データに基づいて露光し、現像し、転写し、定着する手段と、画像形成装置が設置されている場所の環境条件を検知して環境情報を出力する手段と、前記検知した環境情報に応じて、前記印刷媒体の搬送方向先端部からの画像が形成されない領域の量を示す余白量を設定する手段とを実現させるためのプログラムを記録したことを特徴とする。
【００３３】
また、請求項２０に記載の発明は、コンピュータ読み取り可能な記憶媒体であって、入力データからビットマップ・データを生成する手段と、生成したビットマップ・データに基づいて露光し、現像し、転写し、定着する手段と、画像形成装置が設置されている場所の環境条件を検知し環境情報を出力する手段と、前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大する手段とを実現させるためのプログラムを記録したことを特徴とする。
【００３４】
また、請求項２１に記載の発明は、コンピュータ読み取り可能な記憶媒体であって、入力データからビットマップ・データを生成する手段と、生成したビットマップ・データに基づいて露光し、現像し、転写し、定着する手段と、画像形成装置が設置されている場所の環境条件を検知し環境情報を出力する手段と、前記検知した環境情報に応じて、ページ単位のビットマップ・データを表す画像を印刷媒体に印字する際に用いる単位面積あたりのトナー量の最大値を変更するように、ビットマップ・データを処理する手段とを実現させるためのプログラムを記録したことを特徴とする。
【００３５】
【発明の実施の形態】
以下、図面を参照して本発明の実施形態について説明する。
【００３６】
（第１の実施形態）
以下、本発明をレーザ・ビーム・プリンタ（以下、ＬＢＰと略す）に適用し、図面を用いて更に詳細に説明する。
【００３７】
本実施形態の構成を説明する前に、本発明を適用可能なＬＢＰの構成を図１、図２を参照して説明する。
【００３８】
図１は、本発明を適用可能なＬＢＰの内部構造を示す断面図である。図２は、図１に示した本体の制御構成を説明するブロック図である。
【００３９】
図１において、符号１００は、ＬＢＰ本体であり、外部に接続されているホスト・コンピュータ（図２の２０１）から供給される文字印字命令、各種図形描画命令、イメージ描画命令及び色指定命令等に従って対応する文字パターンや図形、イメージ等を作成し、記録媒体である記録用紙上に像を形成する。符号１５１は、操作のためのスイッチ及びプリンタの状態を表示するＬＥＤ表示器やＬＣＤ表示器等が配されている操作パネルである。符号１０１はＬＢＰ１００全体の制御及びホスト・コンピュータから供給される文字印字命令等を解析するプリンタ制御ユニットである。
【００４０】
尚、本実施形態におけるＬＢＰはＲＧＢの色情報をＭ（マゼンタ）、Ｃ（シアン）、Ｙ（イエロー）、Ｋ（クロ）に変換し、それらを並列で像形成・現像するため、ＭＣＹＫそれぞれ用の像形成・現像機構を持つ。プリンタ制御ユニット１０１は、ＭＣＹＫそれぞれの印字イメージを生成し、ビデオ信号に変換してＭＣＹＫそれぞれのレーザ・ドライバに出力する。
【００４１】
Ｍ（マゼンタ）のレーザ・ドライバ１１０は、半導体レーザ１１１を駆動するための回路であり、入力されたビデオ信号に応じて半導体レーザ１１１から射出されるレーザ光１１２をオン・オフ切り替えする。レーザ光１１２は、回転多面鏡１１３で左右方向に振られて、静電ドラム１１４上を走査する。これにより、静電ドラム１１４上には文字や図形のパターンの静電潜像が形成される。この潜像は静電ドラム１１４の周囲の現像ユニット（トナー・カートリッジ）１１５によって現像された後、記録用紙に転写される。
【００４２】
Ｃ（シアン）、Ｙ（イエロー）、Ｋ（クロ）に関しても、Ｍ（マゼンタ）と同様の像形成・現像機構を持ち、符号１２０〜１２５はＣ（シアン）用の像形成・現像機構、符号１３０〜１３５はＹ（イエロー）用の像形成・現像機構、符号１４０〜１４５はＫ（クロ）用の像形成・現像機構である。個々の機能はＭ（マゼンタ）の像形成・現像機構と同じであるので説明は省略する。
【００４３】
記録用紙にはカット・シートを用い、カット・シート記録紙はＬＢＰに装着した給紙カセット１０２に収納されバネ１０３で一定の高さに保たれており、給紙ローラ１０４及び搬送ローラ１０５と１０６とにより装置内に取り込まれ、用紙搬送ベルト１０７に乗せられてＭＣＹＫの各像形成・現像機構を通過する。図１においては、１つの給紙カセット１０２しか示していないが、以下においては、種々の用紙サイズの給紙カセットが備えられているものとして説明する。
【００４４】
記録用紙に転写されたＭＣＹＫの各トナー（粉末インク）は、定着器１０８で熱と圧力により記録用紙に固定され、定着された記録用紙は搬送ローラ１０９と１５０によってＬＢＰ本体上部に出力される。
【００４５】
図２は、図１に示したＬＢＰの制御ユニット１０１の概略構成を示すブロック図である。
【００４６】
このＬＢＰの制御系は、印刷情報の発生源である、ホスト・コンピュータ２０１より送られてきた文字、図形、イメージの各描画命令及び色情報等からなるデータ２１８を入力し、ページ単位で文書情報等を印刷するようにしている。
【００４７】
符号２０２はホスト・コンピュータ２０１と各種情報をやりとりする入出力インターフェース部、符号２０３は入出力インターフェース部２０２を介して入力された各種情報を一時記憶する入力バッファである。符号２０４は文字パターン発生器で、文字の幅や高さ等の属性や実際の文字パターンのアドレスが格納されているフォント情報部２２２、文字パターン自身が格納されている文字パターン部２２３、及びその読み出し制御プログラムから成る。
【００４８】
読み出し制御プログラムはＲＯＭ２１９に含まれ、文字コードを入力するとそのコードに対応する文字パターンのアドレスを算出するコード・コンバート機能をも有している。
【００４９】
符号２０５は、ＲＡＭであり、文字パターン発生器２０４より出力された文字パターンを記憶するフォント・キャッシュ領域２０７、ホスト・コンピュータ２０１より送られてきた外字フォントやフォーム情報及び現在の印字環境等を記憶する記憶領域２０６を含んでいる。
【００５０】
このように、一旦文字パターンに展開したパターン情報をフォント・キャッシュとしてフォント・キャッシュ領域２０７に記憶しておくことにより、その後に同じ文字に対して再度パターン展開する必要がなくなるため、入力した文字を文字パターンへ展開する処理を速めることができる。
【００５１】
符号２０８は、画像形成装置の制御系全体を制御するためのＣＰＵであり、ＲＯＭ２１９に記憶されたＣＰＵ２０８の制御プログラムを実行することにより装置全体の制御を行っている。符号２０９は入力データ２１８を元に生成される内部的なデータ群を格納する中間バッファである。１ページ分のデータの受信が完了し、それらがよりシンプルな中間データに変換されて中間バッファに蓄えられた後、レンダラ２１０により数ライン単位でレンダリングされ、印字イメージとしてバンド・バッファ２１１に出力される。
【００５２】
尚、レンダラ２１０は、数ライン単位にＲＧＢ各色８ビット／ピクセルの描画ビットマップ・イメージを生成し、同時に各ピクセルが文字か図形かイメージかを示す３ビット／ピクセルと、Ｒ＝Ｇ＝ＢのときにＫのみで印刷するかＹＭＣＫの混色で印刷するかを示す１ビット／ピクセルとの合計４ビット／ピクセルの属性ビットマップ・イメージを生成することができる。また、バンド・バッファ２１１には少なくとも８ラインぶんのＲＧＢ描画ビットマップ・イメージ、属性ビットマップ・イメージを記憶することができる。このとき、描画ビットマップ・イメージと属性ビットマップ・イメージは別々に圧縮される。バンド・バッファ２１１に出力されたイメージは圧縮部２１２により数スキャン・ライン単位に圧縮され、ページ・メモリ２１３に格納される。１ページ分の中間バッファ・メモリ内のデータに対するレンダリング終了し、それらがページ・メモリ２１３に格納された後、伸張部２１４において数ライン単位で読み出され、伸張される。このとき、描画ビットマップ・イメージと属性ビットマップ・イメージは別々に読み出され、伸張される。
【００５３】
次に、伸張されたデータは色変換部２１５において、ＲＧＢ各色８ビット／ピクセルのビットマップ・イメージをＹＭＣＫ各色４ビット／ピクセルのビットマップ・イメージに変換する。より詳細には、ＲＧＢ各色８ビット／ピクセルのビットマップ・イメージをＹＭＣＫ各色１０ビット／ピクセルに変換し、ＹＭＣＫ各色１０ビット／ピクセルのビットマップ・イメージを、ガンマ補正テーブルを用いてＹＭＣＫ各色１０ビット／ピクセルに変換し、さらにＹＭＣＫ各色１０ビット／ピクセルのビットマップ・イメージにハーフ・トーニング処理を用いてＹＭＣＫ各色４ビット／ピクセルに変換する。このとき、描画ビットマップ・イメージの各ピクセルを色変換する際に、対応する属性ビットマップ・ピクセルの種類によって、色変換方法を切り替える。
【００５４】
具体的には、まず、Ｒ＝Ｇ＝ＢのときにＫのみで印刷するかＹＭＣＫの混色で印刷するかを示す１ビット／ピクセルの情報を用いて、ＲＧＢ各色８ビット／ピクセルをＹＭＣＫ各色１０ビット／ピクセルに変換する。次に、各ピクセルが文字か図形かイメージかを示す３ビット／ピクセルの情報を用いて、ＹＭＣＫ各色１０ビット／ピクセルをＹＭＣＫ４ビット／ピクセルに変換する。
【００５５】
次に、出力インターフェース部２１６でビデオ信号に変換されてプリンタ印字部２１７に出力される。符号２１７は出力インターフェース部２１６からのビデオ信号に基づいた画像情報を印刷する画像形成装置のページ・プリンタの印刷機構部分である。この部分は、図１に示した部分でもある。
【００５６】
先に図２を用いて説明したように、本実施形態におけるＬＢＰではＭＣＹＫの像形成・現像を並列で行うため、出力インターフェース部２１６はＭ出力インターフェース部、Ｃ出力インターフェース部、Ｙ出力インターフェース部、Ｋ出力インターフェース部の４つのインターフェース部で構成され、それぞれが独立に色変換部２１５からドット・データを獲得し、ビデオ信号に変換して各プレーンのレーザ・ドライバ１１０、１２０、１３０、１４０へ出力する。
【００５７】
符号２２０は、一般のＥＥＰＲＯＭ等で構成する不揮発性メモリであり、以後ＮＶＲＡＭ（Ｎｏｎ　Ｖｏｌａｔｉｌｅ　ＲＡＭ）と称す。ＮＶＲＡＭ２２０には操作パネル１５１で指定されるパネル設定値などが記憶される。
【００５８】
符号２２１は、ＬＢＰからホスト・コンピュータ２０１に送信されるデータである。
【００５９】
尚、ＲＯＭ２１９にはホスト・コンピュータ２０１から入力されるデータの解析、中間データの生成、印刷機構本体部２１７の制御プログラム、及びＲＧＢ色空間からＭＣＹＫ色空間への色変換テーブル、ＭＣＹＫ各色ごとのガンマ補正テーブル等も含まれる。
【００６０】
なお、レンダラ２１０は、ＲＧＢ各色８ビット／ピクセルの描画ビットマップ・イメージを生成するとしたが、レンダラ２１０は、数ライン単位にＹＭＣＫ各色８ビット／ピクセルの描画ビットマップ・イメージを生成してもよい。また、レンダラ２１０は、数ライン単位にグレイ８ビット／ピクセルの描画ビットマップ・イメージを生成してもよい。また、各色のビット／ピクセルはどのような値であっても良い。この場合、バンド・バッファ２１１、圧縮部２１２、ページ・メモリ２１３、伸張部２１４は、レンダラ２１０が生成する色空間、ビット／ピクセルに対応していれば良い。
【００６１】
さらに、伸張されたデータは色変換部２１５において、レンダラ２１０で生成されたデータを出力インターフェース部２１６に対応する色空間、ビット／ピクセルに変換するものであれば良い。
【００６２】
図４は、データ処理を説明する図である。図４（ａ）は、中間バッファ２０９に格納される中間データを示す。図４（ｂ）は、レンダラ２１０で生成される描画ビットマップ・イメージを示す。図４（ｃ）は、レンダラ２１０で生成される属性ビットマップ・イメージを示す。図４（ｄ）は、色変換部２１５で生成される第２のビットマップ・イメージを示す。
【００６３】
まず。入力コマンドが、文字コマンドか、図形コマンドか、イメージコマンドかにより属性を判定し、また、属性と別途属性ごとに定められた情報とにより、Ｒ＝Ｇ＝ＢのときにＫのみで印刷するかＹＭＣＫの混色で印刷するかを判定し、中間バッファ２０９に格納する中間データにそれぞれのフラグを備える。（図４（ａ））
【００６４】
具体的には、ｏｂｊｅｃｔ１として、属性：文字、色属性：Ｋ、印字位置（Ｘ、Ｙ）、フォント、サイズ、文字コード、色、描画論理を備え、ｏｂｊｅｃｔ２として、属性：図形、色属性：Ｋ、印字位置（Ｘ、Ｙ）、形状（円）、半径、色、描画論理を備え、ｏｂｊｅｃｔ３として、属性：イメージ、色属性：ＹＭＣＫ、印字位置（Ｘ、Ｙ）、イメージの幅、高さ、イメージの実体へのポインタ、描画論理を備える。ここですべてのオブジェクトの、描画論理はＳ（上書き）指定である。
【００６５】
このように中間データは、それぞれの描画オブジェクトの形、色、印字位置の情報を含んでいる。
【００６６】
中間データをレンダラ２１０により描画すると、描画ビットマップ・イメージ（図４（ｂ））と共に、属性ビットマップ・イメージ（図４（ｃ））が得られる。ここで、描画ビットマップ・イメージ（図４（ｂ））は、中間データをＲＧＢ各色８ビット／ピクセルに描画したものである。ここで、属性ビットマップ・イメージ（図４（ｃ））は、中間データの属性、色属性を用いて４ビット／ピクセルに描画したものである。
【００６７】
具体的には、４ビット／ピクセルの内容は以下の通りである。
ビット０：色属性がＫ（Ｒ＝Ｇ＝ＢのときにＫのみで印刷する）なら１、色属性がＹＭＣＫ（Ｒ＝Ｇ＝ＢのときにＹＭＣＫで印刷する）なら０、
ビット１：属性がイメージなら１、その他なら０、
ビット２：属性が図形なら１、その他なら０、
ビット３：属性が文字なら１、その他なら０。
よって、例の文字領域は０ｘ９、図形領域は０ｘ５、イメージ領域は０ｘ２として描画される。
【００６８】
また、色変換部２１５により印字結果の各ピクセルに対応した属性を備える第２のビット・マップが得られる（図４（ｄ））。
【００６９】
ここで、図４（ｂ）の描画ビットマップ・イメージから図４（ｄ）の第２のビットマップ・イメージを生成する際、図４（ｃ）の属性結果に応じて処理パラメータを変更する。具体的には、まず、属性ビットマップ・イメージのビット０（Ｋのみで印刷するかＹＭＣＫの混色で印刷するかを示す１ビット／ピクセルの情報）を用いて、ＲＧＢ各色８ビット／ピクセルをＹＭＣＫ各色１０ビット／ピクセルに変換する。ここで、属性ビットマップ・イメージのビット０がＫであるピクセルに相当する描画ビットマップ・イメージのピクセルは、Ｒ＝Ｇ＝ＢのときにＹ＝Ｍ＝Ｃ＝０を保証するＬｏｏｋ　Ｕｐ　Ｔａｂｌｅを用いてＲＧＢからＹＭＣＫに変換される。属性ビットマップ・イメージのビット０がＹＭＣＫであるピクセルに相当する描画ビットマップ・イメージのピクセルは、Ｒ＝Ｇ＝ＢのときにＹ＝Ｍ＝Ｃ＝０を保証しないＬｏｏｋ　Ｕｐ　Ｔａｂｌｅを用いてＲＧＢからＹＭＣＫに変換される。
【００７０】
次に、ＹＭＣＫ各色１０ビット／ピクセルのビットマップ・イメージに１次元のＬｏｏｋ　Ｕｐ　Ｔａｂｌｅを用いてＹＭＣＫ各色１０ビット／ピクセルに変換する。
【００７１】
次に、属性ビットマップ・イメージのビット１からビット３（各ピクセルが文字か図形かイメージかを示す３ビット／ピクセルの情報）を用いて、ＹＭＣＫ各色１０ビット／ピクセルをＹＭＣＫ４ビット／ピクセルに変換する。
【００７２】
ここで、属性ビットマップ・イメージのビット１が１であるピクセルに相当する描画ビットマップ・イメージのピクセルは、イメージ用のハーフ・トーン・パラメータを用いてＹＭＣＫ各色１０ビット／ピクセルをＹＭＣＫ４ビット／ピクセルに変換する。属性ビットマップ・イメージのビット２が１であるピクセルに相当する描画ビットマップ・イメージのピクセルは、図形用のハーフ・トーン・パラメータを用いてＹＭＣＫ各色１０ビット／ピクセルをＹＭＣＫ４ビット／ピクセルに変換する。属性ビットマップ・イメージのビット３が１であるピクセルに相当する描画ビットマップ・イメージのピクセルは、文字用のハーフ・トーン・パラメータを用いてＹＭＣＫ各色１０ビット／ピクセルをＹＭＣＫ４ビット／ピクセルに変換する。
【００７３】
こうすることにより、領域毎に最適な色変換パラメータおよびハーフ・トーン・パラメータを用いて第２のビットマップ・イメージを生成することができる。
【００７４】
図５は、本発明による、環境条件に応じて、印刷媒体にビットマップ・データの描画する際の描画位置を変更する処理を示すフローチャートである。
【００７５】
Ｓ５０１では、ページ・メモリ２１３に１ページ分のビットマップ・データを格納後、伸張部２１４以降の処理を起動する前に行われる。ビットマップ・データと共に、ページ・メモリ２１３に格納されているページ単位のビットマップ・データと用紙との関係情報（用紙の左端からビットマップ・データの左端までの距離（Ｘ，Ｙ））をインターフェース部２１６に対し設定する。
【００７６】
Ｓ５０２では、プリンタ部２１７に内蔵されている環境センサ（湿度センサ）から湿度情報を獲得する。Ｓ５０３では、湿度センサ値と予めＲＯＭ２１９に格納されている閾値と比較する。もし、湿度が閾値Ｎよりも小さいなら通常状態と判断してＳ５０５に進む。もし、湿度が閾値Ｎよりも大きいなら異常状態と判断してＳ５０４に進む。
【００７７】
Ｓ５０４では、Ｓ５０１においてインターフェース部２１６に対し設定したビットマップ・データと用紙との関係情報（Ｘ，Ｙ）を以下の式で書き換える。Ｓはシフト量である。
Ｙ＝Ｙ＋Ｓ；
【００７８】
図６は、本発明の第１の実施形態における、ビットマップ・データと、それが印字される用紙との間の位置関係を説明する図である。図６（ａ）は、上記の式で書き換える前のビットマップ・データと用紙との関係情報を示す図であり、図６（ｂ）は、上記の式で書き換えた後のビットマップ・データと用紙との関係情報を示す図である。
【００７９】
このように用紙の搬送方向に対して上端余白を広げることにより、定着器からの用紙先端部の剥離性が向上し、定着器への用紙巻きつきを防止することができる。
【００８０】
Ｓ５０５では、ページ・メモリ２１３から伸張部２１４によって数ライン単位で読み出され伸張される。このとき、描画ビットマップ・イメージと属性ビットマップ・イメージは別々に読み出され、伸張される。
【００８１】
Ｓ５０６では、伸張部２１４で伸張されたデータは色変換部２１５によって、ＲＧＢ各色８ビット／ピクセルのビットマップ・イメージをＹＭＣＫ各色４ビット／ピクセルのビットマップ・イメージに変換する。より詳細には、ＲＧＢ各色８ビット／ピクセルのビットマップ・イメージをＹＭＣＫ各色１０ビット／ピクセルに変換し、ＹＭＣＫ各色１０ビット／ピクセルのビットマップ・イメージにガンマ補正を用いてＹＭＣＫ各色１０ビット／ピクセルに変換し、ＹＭＣＫ各色１０ビット／ピクセルのビットマップ・イメージにハーフ・トーニング処理を用いてＹＭＣＫ各色４ビット／ピクセルに変換する。このとき、描画ビットマップ・イメージの各ピクセルを色変換する際に、対応する属性ビットマップ・ピクセルの種類によって、色変換方法を切り替える。
【００８２】
Ｓ５０７では、出力インターフェース部２１６でビデオ信号に変換されてプリンタ印字部２１７に出力する。
【００８３】
Ｓ５０８では、１ページ分のデータがプリンタ印字部２１７に出力されたかどうか判断される。もし、１ページ分のデータがプリンタ印字部２１７に出力されたならば、終了する。もし、１ページ分のデータがプリンタ印字部２１７に出力されていないならば、Ｓ５０５に戻る。
【００８４】
このように用紙の搬送方向に対して上端余白を広げることにより、用紙の搬送方向先端部と１０８定着器との剥離性が向上し、定着器１０８への用紙巻きつきを防止することができる。
【００８５】
（第２の実施形態）
第１の実施形態のＳ５０２において、プリンタ部２１７に内蔵されている環境センサを湿度センサとしたが、本実施形態では、温度センサ、気圧センサなど、定着部からの用紙の剥離性を左右するいかなる要因のセンサであってもよい。
【００８６】
（第３の実施形態）
第１の実施形態のＳ５０１では、ビットマップ・データと共にページ・メモリ２１３に格納されているビットマップ・データと用紙との関係情報（用紙の左端からビットマップ・データの左端までの距離（Ｘ，Ｙ））をインターフェース部２１６に対し設定する、としたが、本実施形態では、同時にビットマップ・データと共にページ・メモリ２１３に格納されている「使用する用紙サイズ」をインターフェース部２１６に対し設定する。
【００８７】
Ｓ５０４では、Ｓ５０１においてインターフェース部２１６に対し設定したビットマップ・データと用紙との関係情報（Ｘ，Ｙ）を以下の式で書き換える。Ｓはシフト量である。Ｙ＝Ｙ＋Ｓとしたが、インターフェース部２１６に対し設定した用紙サイズをより大きな用紙サイズに再設定する。さらに、用紙の中心にビットマップ・イメージが配置されるように、インターフェース部２１６に対し設定したビットマップ・データと用紙との関係情報（Ｘ，Ｙ）を以下の式で書き換える。
Ｘ＝Ｘ’：
Ｙ＝Ｙ’；
ここで、Ｘ’、Ｙ’は用紙の中心にビットマップ・イメージが配置されるように計算された値である。
【００８８】
図７は、第３の実施形態の処理を説明する図であり、環境条件に応じて印刷媒体にビットマップ・データを描画する際に、あらかじめ設定されているサイズよりも大きな用紙サイズの用紙に変更して、印字するビットマップ・データの全体サイズを変更せずに印字する際の用紙とビット・マップの関係を説明する図である。図７（ａ）は、上記の式で書き換える前のビットマップ・データと用紙との関係情報を示す図であり、図７（ｂ）は、上記の式で書き換えた後のビットマップ・データと用紙との関係情報を示す図である。
【００８９】
このように用紙サイズを変更することによって、用紙余白を広げることにより、用紙の搬送方向先端部と１０８定着器との剥離性が向上し、定着器１０８への用紙巻きつきを防止することができる。
【００９０】
（第４の実施形態）
図８は、本実施形態におけるデータ処理を示すフローチャートである。Ｓ８０１では、２１３のページ・メモリに１ページ分のビットマップ・データを格納後、伸張部２１４以降の処理を起動する前に行われる。プリンタ部２１７に内蔵されている環境センサ（湿度センサ）から湿度情報を獲得する。
【００９１】
Ｓ８０２では、ページ・メモリ２１３から伸張部２１４によって数ライン単位で読み出され伸張される。このとき、描画ビットマップ・イメージと属性ビットマップ・イメージは別々に読み出され、伸張される。
【００９２】
Ｓ８０３では、湿度センサ値と予めＲＯＭ２１９に格納されている閾値と比較する。もし、湿度が閾値Ｎよりも小さいなら通常状態と判断してＳ８０５に進む。もし、湿度が閾値Ｎよりも大きいなら異常状態と判断しＳ８０４に進む。
【００９３】
Ｓ８０４では、Ｓ８０２で伸張したデータを予め定められた比率で縮小する。さらに縮小した画像が用紙の中心に配置するようにビットマップ・データと用紙との関係情報を設定する。
【００９４】
図９は、第４の実施形態の処理を説明する図であり、環境条件に応じて印刷媒体にビットマップ・データを描画する際に、ビットマップ・データと、それが印字される用紙との間の位置関係、およびビットマップ・データの全体サイズの関係を説明する図である。図９（ａ）は、上記の方法で書き換える前のビットマップ・データと用紙との関係情報を示す図であり、図９（ｂ）は、上記の方法で書き換えた後のビットマップ・データと用紙との関係情報を示す図である。
【００９５】
このように用紙の余白を広げることにより、用紙と１０８定着器との剥離性が向上し、定着器１０８への巻きつきを防止する。
【００９６】
Ｓ８０５では、伸張部２１４で伸張されたデータは色変換部２１５によって、ＲＧＢ各色８ビット／ピクセルのビットマップ・イメージをＹＭＣＫ各色４ビット／ピクセルのビットマップ・イメージに変換する。より詳細には、ＲＧＢ各色８ビット／ピクセルのビットマップ・イメージをＹＭＣＫ各色１０ビット／ピクセルに変換し、ＹＭＣＫ各色１０ビット／ピクセルのビットマップ・イメージにガンマ補正を用いてＹＭＣＫ各色１０ビット／ピクセルに変換し、ＹＭＣＫ各色１０ビット／ピクセルのビットマップ・イメージにハーフ・トーニング処理を用いてＹＭＣＫ各色４ビット／ピクセルに変換する。このとき、描画ビットマップ・イメージの各ピクセルを色変換する際に、対応する属性ビットマップ・ピクセルの種類によって、色変換方法を切り替える。
【００９７】
Ｓ８０６では、出力インターフェース部２１６でビデオ信号に変換されてプリンタ印字部２１７に出力する。
【００９８】
Ｓ８０７では、１ページ分のデータがプリンタ印字部２１７に出力されたかどうか判断される。もし、１ページ分のデータがプリンタ印字部２１７に出力されたならば、終了する。もし、１ページ分のデータがプリンタ印字部２１７に出力されていないならば、Ｓ８０３に戻る。
【００９９】
このように環境情報の値に応じて印刷媒体に印字される１ページ単位のビットマップ・データの全体サイズを変更することにより、用紙の余白を広げることになり、用紙の搬送方向先端部と１０８定着器との剥離性が向上し、定着器１０８への用紙巻きつきを防止することができる。
【０１００】
（第５の実施形態）
第４の実施形態のＳ８０４において、Ｓ８０２で伸張したデータを予め定められた比率で縮小し、さらに縮小した画像が用紙の中心に配置するようにビットマップ・データと用紙との関係情報を設定するとしたが、本実施形態では、伸張したデータが用紙上端から距離Ｎのピクセル・データであればデータを白で置換する。
【０１０１】
図１０は、第５の実施形態の処理を説明する図であり、環境条件に応じて印刷媒体にビットマップ・データを描画する際に、印刷方向先端部に位置するビットマップ・データの所定範囲を、白データで置換する処理を説明する図である。図１０（ａ）は、上記の方法で書き換える前のビットマップ・データと用紙との関係情報を示す図であり、図１０（ｂ）は、上記の方法で書き換えた後のビットマップ・データと用紙との関係情報を示す図である。
【０１０２】
このように環境情報の値に応じて印刷媒体に印字されるビット・マップのデータ内容を白で置換することにより、用紙の余白を実質的に広げることになり、用紙の搬送方向先端部と１０８定着器との剥離性が向上し、定着器１０８への用紙巻きつきを防止することができる。
【０１０３】
（第６の実施形態）
第４の実施形態のＳ８０４において、Ｓ８０２で伸張したデータを予め定められた比率で縮小し、さらに縮小した画像が用紙の中心に配置するようにビットマップ・データと用紙との関係情報を設定する、としたが、本実施形態では、伸張したデータが用紙上端から距離Ｎ以内のピクセル・データであればデータをトリミングし、すなわち、その部分のデータ削除して、１ページ分のビットマップ・イメージ・データを切り詰めて、データ量を変更する。さらにトリミングしたデータ、すなわち切り詰められたビットマップ・イメージが表す画像の先端が、用紙上端から距離Ｎの位置に位置するようにビットマップ・データと用紙との関係情報を設定する。
【０１０４】
図１１は、第６の実施形態の処理を説明する図であり、環境条件に応じて印刷媒体にビットマップ・データを描画する際に、印字するビットマップ・データの全体サイズを変更せずに、用紙先端から距離Ｎ以内に位置するピクセル・データを削除して、削除されたビットマップ・データの先端を用紙先端から距離Ｎの位置になるようにした際の、用紙とビットマップ・データとの位置関係を説明する図である。図１１（ａ）は、上記の方法で書き換える前のビットマップ・データと用紙との関係情報を示す図であり、図１１（ｂ）は、上記の方法で書き換えた後のビットマップ・データと用紙との関係情報を示す図である。
【０１０５】
このように環境情報の値に応じて印刷媒体に印字される１ページ単位のビットマップ・イメージの全体サイズを変更することにより、用紙の余白を広げることになり、用紙の搬送方向先端部と１０８定着器との剥離性が向上し、定着器１０８への用紙巻きつきを防止することができる。
【０１０６】
（第７の実施形態）
図１２は、本実施形態におけるデータ処理を示すフローチャートである。Ｓ１２０１では、ページ・メモリ２１３に１ページ分のビットマップ・データを格納後、伸張部２１４以降の処理を起動する前に行われる。プリンタ部２１７に内蔵されている環境センサ（湿度センサ）から湿度情報を獲得する。
【０１０７】
Ｓ１２０２では、湿度センサ値と予めＲＯＭ２１９に格納されている閾値と比較する。もし、湿度が閾値Ｎよりも小さいなら通常状態と判断してＳ１２０３に進む。もし、湿度が閾値Ｎよりも大きいなら異常状態と判断してＳ１２０４に進む。
【０１０８】
Ｓ１２０３では、色変換部２１５で使用するＲＧＢ各色８ビット／ピクセルのビットマップ・イメージをＹＭＣＫ各色１０ビット／ピクセルに変換する色変換パラメータＡを設定する。
【０１０９】
Ｓ１２０４では、色変換部２１５で使用するＲＧＢ各色８ビット／ピクセルのビットマップ・イメージをＹＭＣＫ各色１０ビット／ピクセルに変換する色変換パラメータＢを設定する。
【０１１０】
Ｓ１２０５では、ページ・メモリ２１３から伸張部２１４によって数ライン単位で読み出され伸張される。このとき、描画ビットマップ・イメージと属性ビットマップ・イメージは別々に読み出され、伸張される。
【０１１１】
Ｓ１２０６では、伸張部２１４で伸張されたデータは色変換部２１５によって、ＲＧＢ各色８ビット／ピクセルのビットマップ・イメージをＹＭＣＫ各色４ビット／ピクセルのビットマップ・イメージに変換する。より詳細には、ＲＧＢ各色８ビット／ピクセルのビットマップ・イメージをＹＭＣＫ各色１０ビット／ピクセルに変換し、ＹＭＣＫ各色１０ビット／ピクセル・ビットマップ・イメージにガンマ補正を用いてＹＭＣＫ各色１０ビット／ピクセルに変換し、ＹＭＣＫ各色１０ビット／ピクセルのビットマップ・イメージにハーフ・トーニング処理を用いてＹＭＣＫ各色４ビット／ピクセルに変換する。
【０１１２】
Ｓ１２０７では、出力インターフェース部２１６でビデオ信号に変換されてプリンタ印字部２１７に出力する。
【０１１３】
Ｓ１２０８では、１ページ分のデータがプリンタ印字部２１７に出力されたかどうか判断される。もし、１ページ分のデータがプリンタ印字部２１７に出力されたならば、終了する。もし、１ページ分のデータがプリンタ印字部２１７に出力されていないならば、Ｓ１２０５に戻る。
【０１１４】
ＲＧＢ各色８ビット／ピクセルのビットマップ・イメージをＹＭＣＫ各色１０ビット／ピクセルに変換する方法を以下に示す。
【０１１５】
ＲＧＢ各色（ｒｅｄ，ｇｒｅｅｎ，ｂｌｕｅ）は、ＹＭＣＫ各色（ｙｅｌｌｏｗ，ｍａｇｅｎｔａ，ｃｙａｎ，ｂｌａｃｋ）に変換される。
【０１１６】
ｔｅｍｐ＿ｃ＝２５５−ｒｅｄ
ｔｅｍｐ＿ｍ＝２５５−ｇｒｅｅｎ
ｔｅｍｐ＿ｙ＝２５５−ｂｌｕｅ
ｔｅｍｐ＿ｋ＝ｍｉｎ（ｔｅｍｐ＿ｃ，ｔｅｍｐ＿ｍ，ｔｅｍｐ＿ｙ）
ｃｙａｎ＝ｍｉｎ（２５５，ｍａｘ（０．０，（ｔｅｍｐ＿ｃ−ＵＣＲ（ｔｅｍｐ＿ｋ）））ｘ４
ｍａｇｅｎｔａ＝ｍｉｎ（２５５，ｍａｘ（０．０，（ｔｅｍｐ＿ｍ−ＵＣＲ（（ｔｅｍｐ＿ｋ）））ｘ４
ｙｅｌｌｏｗ＝ｍｉｎ（２５５，ｍａｘ（０．０，（ｔｅｍｐ＿ｙ−ＵＣＲ（（ｔｅｍｐ＿ｋ）））ｘ４
ｃｙａｎ＝ｍｉｎ（２５５，ｍａｘ（０．０，ＢＧ（（ｔｅｍｐ＿ｋ）））ｘ４
ここでパラメータＡとしては以下のパラメータを使用する。
ＵＣＲ（ｋ）＝ｋ÷２
ＢＧ（ｋ）＝ｋ÷２
パラメータＢとしては以下のパラメータを使用する。
ＵＣＲ（ｋ）＝ｋ
ＢＧ（ｋ）＝ｋ
上記のパラメータＢはパラメータＡよりも単位面積あたりのトナー量を少なくすることを示している。
【０１１７】
このように環境情報の値に応じてＲＧＢ値をＹＭＣＫに変換する際の色変換パラメータを変更することにより、用紙媒体における単位面積あたりのトナー量を少なくすることができ、このことはトナーに起因する用紙の定着器に対する融着力を低減させるので、用紙の搬送方向先端部と定着器１０８との剥離性を向上させることができる。
【０１１８】
（第８の実施形態）
第７の実施形態のＳ１２０３、Ｓ１２０４において、色変換部２１５で使用するＲＧＢ各色８ビット／ピクセルのビットマップ・イメージをＹＭＣＫ各色１０ビット／ピクセルに変換する色変換パラメータを設定する、としたが、本実施形態では、ＹＭＣＫ各色１０ビット／ピクセルのビットマップ・イメージに各色独立の１次元Ｌｏｏｋ　Ｕｐ　Ｔａｂｌｅを用いたガンマ補正を用いてＹＭＣＫ各色１０ビット／ピクセルに変換するパラメータを変更しても良い。
【０１１９】
図１３は、第８の実施形態の処理を示し、環境条件に応じて印刷媒体にビットマップ・データの描画する際における、ガンマ・テーブルのガンマ特性の例を説明する図である。図１３（ａ）は、パラメータＡのガンマ・テーブルのガンマ特性を示す図であり、図１３（ｂ）はパラメータＢのガンマ・テーブルのガンマ特性を示す図である。パラメータＢは、パラメータＡに対して、横軸の入力に対し、縦軸の出力が小さくなっており、パラメータＢはパラメータＡよりも単位面積あたりのトナー量を少なくすることを示している。
【０１２０】
このように環境情報の値に応じてＹＭＣＫ値をＹＭＣＫに変換する際の１次元Ｌｏｏｋ　Ｕｐ　Ｔａｂｌｅパラメータを変更することにより、用紙媒体における単位面積あたりのトナー量を少なくすることができ、このことはトナーに起因する用紙の定着器に対する融着力を低減させるので、用紙の搬送方向先端部と定着器１０８との剥離性を向上させることができる。
【０１２１】
（第９の実施形態）
第７の実施形態のＳ１２０３、Ｓ１２０４において、色変換部２１５で使用するＲＧＢ各色８ビット／ピクセルのビットマップ・イメージをＹＭＣＫ各色１０ビット／ピクセルに変換する色変換パラメータを設定し、変換式におけるＵＣＲ（ｋ）とＢＧ（ｋ）を変更したが、本実施形態では、パラメータＡ、パラメータＢとしてＲＧＢからＹＭＣＫに変換するＬｏｏｋ　Ｕｐ　Ｔａｂｌｅ　ＡとＬｏｏｋ　Ｕｐ　Ｔａｂｌｅ　Ｂを切り替えても良い。
【０１２２】
このように環境情報の値に応じてＲＧＢ値をＹＭＣＫに変換する際の色変換パラメータを変更することにより、用紙媒体における単位面積あたりのトナー量を少なくすることができ、このことはトナーに起因する用紙の定着器に対する融着力を低減させるので、用紙の搬送方向先端部と定着器１０８との剥離性を向上させることができる。
【０１２３】
（第１０の実施形態）
第８の実施形態のＳ１２０３、Ｓ１２０４において、ＹＭＣＫ各色１０ビット／ピクセルのビットマップ・イメージに各色独立の１次元Ｌｏｏｋ　Ｕｐ　Ｔａｂｌｅを用いたガンマ補正を用いてＹＭＣＫ各色１０ビット／ピクセルに変換するパラメータを変更する、としたが、本実施形態では、ＹＭＣＫ各色１０ビット／ピクセルのビットマップ・イメージをＹＭＣＫ各色１０ビット／ピクセルのビットマップ・イメージに変換するための変換式を変更しても良い。
【０１２４】
ＹＭＣＫ（Ｙ，Ｍ，Ｃ，Ｋ）をＹＭＣＫ（Ｙ’，Ｍ’，Ｃ’，Ｋ’）に変換するパラメータＡの変換式を以下に示す。
Ｙ’＝Ｙ；
Ｍ’＝Ｍ；
Ｃ’＝Ｃ；
Ｋ’＝Ｋ；
【０１２５】
図１４は、第１０の実施形態の処理を示し、ＵＣＲ処理を使用して、ＹＭＣＫ（Ｙ，Ｍ，Ｃ，Ｋ）をＹＭＣＫ（Ｙ’，Ｍ’，Ｃ’，Ｋ’）に変換するパラメータＢの変換方法を示すフローチャートである。ここではＹＭＣＫの入力出力とも各色８ビットとする。
【０１２６】
Ｓ１４０１では、ＹＭＣＫ値の各値を合計して閾値Ｎと比較する。もしＮより大きければＳ１４０２に進む。もしＮより小さければＳ１４０６に進む。
【０１２７】
Ｓ１４０２では、以下の式でＹＭＣの内最小値をＵＣＲ値とする。
ＵＣＲ＝ｍｉｎ（Ｙ，Ｍ，Ｃ）
Ｓ１４０３では、以下の式を用いてＳ１４０２で算出したＵＣＲ値を用いてＵｎｄｅｒ　Ｃｏｌｏｒ　Ｒｅｍｏｖａｌ処理（下地除去処理）を行う。
Ｋ’＝ｍｉｎ（２５５，Ｋ＋ＵＣＲ）
Ｙ＝Ｙ−（Ｋ’−Ｋ）
Ｍ＝Ｍ−（Ｋ’−Ｋ）
Ｃ＝Ｃ−（Ｋ’−Ｋ）
Ｋ＝Ｋ’
【０１２８】
Ｓ１４０４では、ＹＭＣＫ値の各値を合計して閾値Ｎと比較する。もしＮより大きければＳ１４０５に進む。もしＮより小さければＳ１４０６に進む。
【０１２９】
Ｓ１４０５では、以下の式を用いてＹＭＣの値を同率で減らす。
Ｙ’＝Ｙｘ（Ｎ−Ｋ）／（Ｙ＋Ｍ＋Ｃ）
Ｍ’＝Ｍｘ（Ｎ−Ｋ）／（Ｙ＋Ｍ＋Ｃ）
Ｃ’＝Ｃｘ（Ｎ−Ｋ）／（Ｙ＋Ｍ＋Ｃ）
Ｙ＝Ｙ’；Ｍ＝Ｍ’；Ｃ＝Ｃ’；
【０１３０】
Ｓ１４０６では、算出された　（Ｙ，Ｍ，Ｃ，Ｋ）をＹＭＣＫ（Ｙ’，Ｍ’，Ｃ’，Ｋ’）に代入する。
【０１３１】
このように環境情報の値に応じてＹＭＣＫ値をＹＭＣＫに変換する際の色変換パラメータを変更することにより、用紙媒体における単位面積あたりのトナー量を少なくすることができ、このことはトナーに起因する用紙の定着器に対する融着力を低減させるので、用紙の搬送方向先端部と定着器１０８との剥離性を向上させることができる。
【０１３２】
なお、本発明は、上述した実施の形態の機能を実現するソフトウェアのプログラムコードを記憶した記憶媒体を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【０１３３】
この場合、記憶媒体から読み出されたプログラムコード自体が本発明の新規な機能を実現することになり、そのプログラムコードを記憶した記憶媒体は本発明を構成することになる。
【０１３４】
プログラムコードを供給するための記憶媒体としては、例えば、フロッピー（登録商標）ディスク、ハードディスク、光磁気ディスク、光ディスク、ＣＤ−ＲＯＭ、ＣＤ−Ｒ、磁気テープ不揮発性のメモリ・カード、ＲＯＭなどを用いることができる。
【０１３５】
また、コンピュータが読み出したプログラムコードを実行することによって、前述した実施の形態の機能が実現される他、そのプログラムコードの指示に基づき、コンピュータ上で稼動しているＯＳなどが実際の処理の一部または全部を行い、その処理によっても前述した実施の形態の機能が実現され得る。
【０１３６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によっても前述した実施の形態の機能が実現され得る。
【０１３７】
本発明は、前述した実施の形態の機能を実現するソフトウェアのプログラムコードを記録した記憶媒体からそのプログラムを、パソコン通信など通信ラインを介して要求者にそのプログラムを配信する場合にも適用できることは言うまでもない。
【０１３８】
【発明の効果】
以上説明したように、請求項１に記載の画像形成装置によれば、環境条件検知手段によって画像形成装置が設置されている場所の環境条件を検知し、この検知信号に応じて、余白量設定手段が印刷媒体の搬送方向先端部からの画像が形成されない領域の量を示す余白量を設定するので、印刷媒体の剛性が減少するなどして定着ジャムが発生するとされる環境条件時に、定着ローラとの間で粘着性を示さない印刷媒体の設定された余白部分の存在が、定着ローラからの印刷媒体の搬送方向先端部の剥離を確実にして、定着ジャムを効果的に防止することができる。
【０１３９】
また、請求項２に記載の画像形成装置によれば、前記環境条件検知手段は温度を検知して温度を指示するデータを出力するので、定着ジャムが発生するとされる環境温度を規定することができ、定着ジャムを効果的に防止することができる。
【０１４０】
また、請求項３に記載の画像形成装置によれば、前記環境条件検知手段は湿度を検知して湿度を指示するデータを出力するので、定着ジャムが発生するとされる環境湿度を規定することができ、定着ジャムを効果的に防止することができる。
【０１４１】
また、請求項４に記載の画像形成装置によれば、前記余白量設定手段は印刷媒体に印字される１ページ単位のビットマップ・データの位置を変更するので、その結果として生じた余白部分は定着ローラとの間で粘着性を示さない部分となり、この部分の存在が定着ローラからの印刷媒体の搬送方向先端部の剥離を確実にして、定着ジャムを効果的に防止することができる。
【０１４２】
また、請求項５に記載の画像形成装置によれば、前記余白量設定手段は、印刷媒体の用紙サイズの切り替えを行い、印刷媒体のサイズを変更するので、結果的に記録媒体の余白量を増大させることができ、この増大させた余白量部分の存在が定着ローラからの印刷媒体の搬送方向先端部の剥離を確実にして、定着ジャムを効果的に防止することができる。
【０１４３】
また、請求項６に記載の画像形成装置によれば、前記余白量設定手段は、ページ単位のビットマップ・データが表す画像の大きさを縮小することにより、印刷媒体に印字されるページ単位のビットマップ・データの全体サイズを変更するので、その結果として、余白量を増大させることができ、この増大させた余白量部分の存在が定着ローラからの印刷媒体の搬送方向先端部の剥離を確実にして、定着ジャムを効果的に防止することができる。
【０１４４】
また、請求項７に記載の画像形成装置によれば、環境条件検知手段によって画像形成装置が設置されている場所の環境条件を検知し、この検知信号に応じて、余白部分拡大手段が、印刷媒体の搬送方向先端部方向に位置するページ単位のビットマップ・データの所定範囲のピクセルを、実質的に画像が形成されないデータで置換して、実質的に余白量を拡大するので、この増大させた余白量部分の存在が定着ローラからの印刷媒体の搬送方向先端部の剥離を確実にして、定着ジャムを効果的に防止することができる。
【０１４５】
また、請求項８に記載の画像形成装置によれば、前記余白量設定手段は、ページ単位のビットマップ・データの端部を切り詰めて、印刷媒体に印字されるページ単位のビットマップ・データの位置を実質的に変更するので、結果として余白量を増大させることができ、この増大させた余白量部分の存在が定着ローラからの印刷媒体の搬送方向先端部の剥離を確実にして、定着ジャムを効果的に防止することができる。
【０１４６】
また、請求項９に記載の画像形成装置によれば、環境条件検知手段によって画像形成装置が設置されている場所の環境条件を検知し、この検知信号に応じて、処理変更手段がページ単位のビットマップ・データを表す画像を印刷媒体に印字する際に用いる単位面積あたりのトナー量の最大値を変更するように、ビットマップ・データを処理するビットマップ・データ処理部の動作を変更するので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１４７】
また、請求項１０に記載の画像形成装置によれば、前記処理変更手段は、ビットマップ・データの色変換を行う際の変換パラメータを変更する色変換パラメータ変更手段であって、変更された色変換パラメータによって、印刷媒体に印字する際に用いる単位面積あたりのトナー量を削減するように、ビットマップ・データを処理するので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１４８】
また、請求項１１に記載の画像形成装置によれば、前記色変換パラメータ変更手段は、入力データのＲＧＢ値をＹＭＣＫに変換する際のＵｎｄｅｒ　Ｃｏｌｏｒ　Ｒｅｍｏｖａｌ量を変更するので、変更された結果として生成されたＹＭＣＫのデータは、印刷媒体に印字する際に用いる単位面積あたりのトナー量を削減するようにビットマップ・データを処理されているので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１４９】
また、請求項１２に記載の画像形成装置によれば、前記色変換パラメータ変更手段は、入力データから生成したＹＭＣＫ値を別のＹＭＣＫ値に変換する際に、各色毎にそれぞれ１つの１次元ＬＵＴを持ち、そのＬＵＴの内容を変更するので、更された結果として生成されたＹＭＣＫのデータを、印刷媒体に印字する際に用いる単位面積あたりのトナー量を削減するようにビットマップ・データを処理することができるので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１５０】
また、請求項１３に記載の画像形成装置によれば、前記色変換パラメータ変更手段は、入力データのＲＧＢ値をＹＭＣＫに変換する際の三次元ＬＵＴを変更するので、更された結果として生成されたＹＭＣＫのデータを、印刷媒体に印字する際に用いる単位面積あたりのトナー量を削減するようにビットマップ・データを処理することだできるので、そのように処理することにより定着ローラと印刷媒体との間の粘着性を減少させることができ、この減少された粘着性によって定着ローラからの印刷媒体の剥離を確実にして、定着ジャムを効果的に防止することができる。
【０１５１】
また、請求項１４に記載の画像形成装置によれば、前記色変換パラメータ変更手段は、入力データから生成したＹＭＣＫ値を別のＹＭＣＫ値に変換する際に、Ｕｎｄｅｒ　Ｃｏｌｏｒ　Ｒｅｍｏｖａｌ量を変更し、なお、単位面積あたりのトナー量を示すデータの合計が所定値を超えている場合には、ＣＭＹの各ピクセル値を一定比率で乗算することでＣＭＹ値を変更するので、更された結果として生成されたＹＭＣＫのデータを、印刷媒体に印字する際に用いる単位面積あたりのトナー量を削減するようにビットマップ・データを処理することができるので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１５２】
また、請求項１６に記載の画像形成装置のデータ処理方法によれば、画像形成装置が設置されている場所の環境条件を検知し、前記検知した環境情報に応じて、前記印刷媒体の搬送方向先端部からの画像が形成されない領域の量を示す余白量を設定するので、印刷媒体の剛性が減少するなどして定着ジャムが発生するとされる環境条件時に、定着ローラとの間で粘着性を示さない印刷媒体の設定された余白部分の存在が、定着ローラからの印刷媒体の剥離を確実にして、定着ジャムを効果的に防止することができる。
【０１５３】
また、請求項１７に記載の画像形成装置のデータ処理方法によれば、画像形成装置が設置されている場所の環境条件を検知し、前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大するので、この増大させた余白量部分の存在が定着ローラからの印刷媒体の剥離を確実にして、定着ジャムを効果的に防止することができる。
【０１５４】
また、請求項１８に記載の画像形成装置のデータ処理方法によれば、画像形成装置が設置されている場所の環境条件を検知し、前記検知した環境情報に応じて、ページ単位のビットマップ・データを表す画像を印刷媒体に印字する際に用いる単位面積あたりのトナー量の最大値を変更するように、ビットマップ・データを処理するので、そのように処理された印刷媒体と定着ローラとの間の粘着性を減少させることができ、この減少された粘着性によって定着ローラからの印刷媒体の剥離を確実にして、定着ジャムを効果的に防止することができる。
【０１５５】
また、請求項１９に記載のコンピュータ読み取り可能な記憶媒体によれば、入力データからビットマップ・データを生成する手段と、生成したビットマップ・データに基づいて露光し、現像し、転写し、定着する手段と、画像形成装置が設置されている場所の環境条件を検知して環境情報を出力する手段と、前記検知した環境情報に応じて、前記印刷媒体の搬送方向先端部からの画像が形成されない領域の量を示す余白量を設定する手段とを実現させるためのプログラムを記録しているので、前記検知した環境情報が印刷媒体の剛性が減少するなどして定着ジャムが発生するとされる環境条件を示しているときに、前記印刷媒体の搬送方向先端部からの画像が形成されない領域の量を示す余白量、すなわち、定着ローラとの間で粘着性を示さない印刷媒体の余白部分を、定着ローラからの印刷媒体の剥離を確実にするように設定することができ、結果として定着ジャムを効果的に防止することができる。
【０１５６】
また、請求項２０に記載のコンピュータ読み取り可能な記憶媒体によれば、入力データからビットマップ・データを生成する手段と、生成したビットマップ・データに基づいて露光し、現像し、転写し、定着する手段と、画像形成装置が設置されている場所の環境条件を検知し環境情報を出力する手段と、前記検知した環境情報に応じて、前記印刷媒体の搬送方向先端部方向に位置するページ単位のビットマップ・データの所定範囲のピクセルを、実質的に画像が形成されないデータで置換して、実質的に余白量を拡大する手段とを実現させるためのプログラムを記録しているので、前記検知した環境情報が印刷媒体の剛性が減少するなどして定着ジャムが発生するとされる環境条件を示しているときに、ページ単位のビットマップ・データの端部を切り詰めて、印刷媒体に印字されるページ単位のビットマップ・データの位置を実質的に変更することができ、結果として余白量の増大部分の存在が定着ローラからの印刷媒体の剥離を確実にして、定着ジャムを効果的に防止することができる。
【０１５７】
また、請求項２１に記載のコンピュータ読み取り可能な記憶媒体によれば、入力データからビットマップ・データを生成する手段と、生成したビットマップ・データに基づいて露光し、現像し、転写し、定着する手段と、画像形成装置が設置されている場所の環境条件を検知し環境情報を出力する手段と、前記検知した環境情報に応じて、ページ単位のビットマップ・データを表す画像を印刷媒体に印字する際に用いる単位面積あたりのトナー量の最大値を変更するように、ビットマップ・データを処理する手段とを実現させるためのプログラムを記録しているので、前記検知した環境情報が印刷媒体の剛性が減少するなどして定着ジャムが発生するとされる環境条件を示しているときに、ページ単位のビットマップ・データを表す画像を印刷媒体に印字する際に用いる単位面積あたりのトナー量の最大値を変更するように、ビットマップ・データを処理するビットマップ・データ処理部の動作を変更するので、そのように処理された印刷媒体と定着ローラとの間の粘着性を減少させることができ、この減少された粘着性によって定着ローラからの印刷媒体の剥離を確実にして、定着ジャムを効果的に防止することができる。
【図面の簡単な説明】
【図１】実施形態のＬＢＰの内部構造を示す断面図である。
【図２】図１に示したＬＰＢ本体の制御系１０１の概略構成を説明するブロック図である。
【図３】具体的な画像の濃度補正の例を示す図である。
【図４】中間バッファ２０９におけるデータを説明する図である。図４（ａ）は中間バッファ２０９に格納される中間データ、図４（ｂ）はレンダラ２１０で生成される描画ビットマップ・イメージ、図４（ｃ）はレンダラ２１０で生成される属性ビットマップ・イメージ、図４（ｄ）は色変換部２１５で生成される第２のビットマップ・イメージ、を示す図である。
【図５】本発明の第１の実施形態の処理を示し、環境条件に応じて印刷媒体にビットマップ・データの描画する際の描画位置を変更する処理を示すフローチャートである。
【図６】本発明の第１の実施形態における、ビットマップ・データと、それが印字される用紙との間の位置関係を説明する図である。
【図７】第３の実施形態の処理を説明する図であり、環境条件に応じて印刷媒体にビットマップ・データを描画する際に、あらかじめ設定されているサイズよりも大きな用紙サイズの用紙に変更して、印字するビットマップ・データの全体サイズを変更せずに印字する際の用紙とビット・マップの関係を説明する図である。
【図８】第４の実施形態の処理を示し、環境条件に応じて印刷媒体にビットマップ・データの描画する際の描画サイズを変更する処理、具体的には縮小する処理を示すフローチャートである。
【図９】第４の実施形態の処理を説明する図であり、環境条件に応じて印刷媒体にビットマップ・データを描画する際に、ビットマップ・データと、それが印字される用紙との間の位置関係、およびビットマップ・データの全体サイズの関係を説明する図である。
【図１０】第５の実施形態の処理を説明する図であり、環境条件に応じて印刷媒体にビットマップ・データを描画する際に、印刷方向先端部に位置するビットマップ・データの所定範囲を、白データで置換する処理を説明する図である。
【図１１】第６の実施形態の処理を説明する図であり、環境条件に応じて印刷媒体にビットマップ・データを描画する際に、印字するビットマップ・データの全体サイズを変更せずに、用紙先端から距離Ｎ以内に位置するピクセル・データを削除して、削除されたビットマップ・データの先端を用紙先端から距離Ｎの位置になるようにした際の、用紙とビットマップ・データとの位置関係を説明する図である。
【図１２】第７の実施形態の処理を示し、環境条件に応じて印刷媒体にビットマップ・データの描画する際に、単位面積あたりのトナー量が異なる色変換パラメータを使用する処理を示すフローチャートである。
【図１３】第８の実施形態の処理を示し、環境条件に応じて印刷媒体にビットマップ・データの描画する際における、ガンマ・テーブルのガンマ特性の例を説明する図である。
【図１４】第１０の実施形態の処理を示し、ＵＣＲ処理を使用して、ＹＭＣＫ（Ｙ，Ｍ，Ｃ，Ｋ）をＹＭＣＫ（Ｙ’，Ｍ’，Ｃ’，Ｋ’）に変換する変換方法を示すフローチャートである。
【符号の説明】
１００　　プリンタ本体
１０１　　プリンタ制御ユニット
１０２　　給紙カセット
１０３　　用紙を持ち上げるためのバネ
１０４　　給紙ローラ
１０５　　用紙搬送ローラ
１０６　　用紙搬送ローラ
１０７　　用紙搬送ベルト
１０８　　定着器
１０９　　用紙搬送ローラ
１１０　　レーザ・ドライバ（マゼンタ用）
１１１　　半導体レーザ発射装置（マゼンタ用）
１１２　　レーザ・ビーム（マゼンタ用）
１１３　　回転多面鏡（マゼンタ用）
１１４　　静電ドラム（マゼンタ用）
１１５　　トナー・カートリッジ（マゼンタ用）
１２０　　レーザ・ドライバ（シアン用）
１２１　　半導体レーザ射出装置（シアン用）
１２２　　レーザ・ビーム（シアン用）
１２３　　回転多面鏡（シアン用）
１２４　　静電ドラム（シアン用）
１２５　　トナー・カートリッジ（シアン用）
１３０　　レーザ・ドライバ（イエロー用）
１３１　　半導体レーザ発射装置（イエロー用）
１３２　　レーザ・ビーム（イエロー用）
１３３　　回転多面鏡（イエロー用）
１３４　　静電ドラム（イエロー用）
１３５　　トナー・カートリッジ（イエロー用）
１４０　　レーザ・ドライバ（クロ用）
１４１　　半導体レーザ発射装置（クロ用）
１４２　　レーザ・ビーム（クロ用）
１４３　　回転多面鏡（クロ用）
１４４　　静電ドラム（クロ用）
１４５　　トナー・カートリッジ（クロ用）
１５０　　用紙搬送ローラ
１５１　　操作パネル
２０１　　ホスト・コンピュータ
２０２　　ホスト・コンピュータとの入出力インターフェース部
２０３　　入力バッファ
２０４　　文字パターン発生器
２０５　　ＲＡＭ
２０６　　各種登録データ及び印刷環境等が記憶される記憶領域
２０７　　フォント・キャッシュ領域
２０８　　ＣＰＵ
２０９　　印刷データが蓄積される記憶領域
２１０　　レンダラ
２１１　　最終的な出力イメージが生成されるバンド・バッファ
２１２　　圧縮部
２１３　　ページ・メモリ
２１４　　伸張部
２１５　　色変換部
２１６　　印刷機構部への出力インターフェース部
２１７　　印刷機構部
２１８　　ホスト・コンピュータからの入力データ
２１９　　ＲＯＭ
２２０　　ＮＶＲＡＭ
２２１　　ＬＢＰからホスト・コンピュータに送信されるデータ
２２２　　フォント情報部
２２３　　文字パターン部
【図１】
2004078025.tif 000003
【図２】
2004078025.tif 000004
【図３】
2004078025.tif 000005
【図４】
2004078025.tif 000006
【図５】
2004078025.tif 000007
【図６】
2004078025.tif 000008
【図７】
2004078025.tif 000009
【図８】
2004078025.tif 000010
【図９】
2004078025.tif 000011
【図１０】
2004078025.tif 000012
【図１１】
2004078025.tif 000013
【図１２】
2004078025.tif 000014
【図１３】
2004078025.tif 000015
【図１４】
2004078025.tif 000016